(57)【要約】      （修正有）【課題】第１アンカーと第２アンカーとがなす全長の調整を的確に行いつつ、迅速且つ簡単に連結することができる土木構築物用構築材の組立部品を提供する。【解決手段】法面の前方に、前側部品３を、第１アンカー７が自然石６よりも法面側に位置されるように配置し、次に、第２アンカー４の一端側を第１アンカー７の引っ掛け部９に挿通させると共に、第２アンカー４のフック部１０を、法面前面に配置される金網１４に対して係止し、次に、第２アンカー４の一端側を第１アンカー７の引っ掛け部９に引っ掛けた状態をもって折り返して、その折り返し部１５をその折り返し部１５に対向する第２アンカー部分に倒伏させ、次に、折り返し部１５及びその折り返し部１５に対向する第２アンカーの部分をコイル５Ａ内に挿通させた状態とし、次に、折り返し部１５のうち、コイル５Ａよりも法面側に位置する先端側部分１６をコイル５Ａ側に折り返すようにする。【選択図】図８
2013181273.tif 000002
【特許請求の範囲】
【請求項１】
土木構築物を構築するための土木構築物用構築材の組立部品であって、
土木構築物用壁面材と該土木構築物用壁面材に一端部が連結される第１アンカーとを備え、該第１アンカーの一端部よりも他端側が該土木構築物用壁面材から遠のくように延びると共にその他端部に引っ掛け部が形成されている前側部品と、
一端側から他端側に向けて真っ直ぐに延び、その他端部に、法面の前面に配置される支持部材に係止するための係止部が形成され、該一端側が使用時に前記第１アンカーの引っ掛け部に折り返された状態で係止される第２アンカーと、
前記第２アンカーの外周に嵌挿されて、該第２アンカーの折り返し状態を保持するために用いられる環状部材と、
を有している、
ことを特徴とする土木構築物用構築材の組立部品。
【請求項２】
土木構築物を構築するための土木構築物用構築材の組立方法であって、
前記土木構築物用構築材の組立部品として、土木構築物用壁面材と該土木構築物用壁面材に一端部が連結される第１アンカーとを備え、該第１アンカーの一端部よりも他端側が該土木構築物用壁面材から遠のくように延びると共にその他端部に引っ掛け部が形成されている前側部品と、一端側から他端側に向けて延び、その他端部に、法面の前面に配置される支持部材に係止するための係止部が形成されている第２アンカーと、該第２アンカーの外周に嵌挿される環状部材と、を有するものを用意し、
法面前方に、前記前側部品を、前記第１アンカーが前記土木構築物用壁面材よりも該法面側に位置されるように配置し、
次に、前記第２アンカーの一端側を前記第１アンカーの引っ掛け部に挿通させると共に、該第２アンカーの係止部を、前記法面前面に配置される支持部材に対して係止し、
次に、前記第２アンカーの一端側を前記第１アンカーの引っ掛け部に引っ掛けた状態で折り返して、その折り返し部をその折り返し部以外の前記第２アンカーの部分に倒伏させ、
次に、前記折り返し部及びその折り返し部以外の前記第２アンカーの部分を前記環状部材内に挿通させた状態とし、
次に、前記折り返し部のうち、前記環状部材よりも法面側に位置する先端側部分を該環状部材側に折り返す、
ことを特徴とする土木構築物用構築材の組立方法。
【請求項３】
土木構築物用構築材を積み上げることにより構築される土木構築物であって、
前記土木構築物用構築材の組立部品として、土木構築物用壁面材と該土木構築物用壁面材に一端部が連結される第１アンカーとを備え、該第１アンカーの一端部よりも他端側が該土木構築物用壁面材から遠のくように延びると共にその他端部に引っ掛け部が形成されている前側部品と、一端側から他端側に向けて真っ直ぐに延び、その他端部に、法面の前面に配置される支持部材に係止するための係止部が形成されている第２アンカーと、該第２アンカーの外周に嵌挿される環状部材と、を有するものが用いられ、
前記前側部品が、前記法面前方において、前記第１アンカーが前記土木構築物用壁面材よりも該法面側に位置されるように配置され、
前記第２アンカーの係止部が、前記法面前面に配置される支持部材に対して係止されている一方、該第２アンカーの一端側が前記第１アンカーの引っ掛け部に引っ掛けた状態で前記法面側に折り返されて、該第２アンカーに折り返し部が形成され、
前記環状部材が、前記折り返し部と該折り返し部以外の前記第２アンカーの部分とに対して嵌挿され、
前記折り返し部のうち、前記環状部材よりも先端側部分が該環状部材側に折り返されている、
ことを特徴とする土木構築物。
【請求項４】
請求項１〜３のいずれか１項において、
前記環状部材がコイルであるもの。
【発明の詳細な説明】
【技術分野】
【０００１】
本発明は、土木構築物用構築材の組立部品、土木構築物用構築材の組立方法及び土木構築物に関する。
【背景技術】
【０００２】
護岸、擁壁等の土木構築物の構築においては、土木構築物用構築材として、自然石やコンクリートブロック等の土木構築物用壁面材にアンカーの一端部を取付けたものが用いられている。この土木構築物用構築材は、土木構築物の構築に際して、多数用意され、その各土木構築物用構築材の土木構築物用壁面材が法面の前方側に順次、積み上げられて壁面が構成される一方、その各アンカーの他端側は略水平に法面に向けて延ばされて、その各他端部を法面上に設置される支持部材に連結すること等が行われる。そしてその上で、積み上げた土木構築物用壁面材により構成された壁面と法面との間に栗石や割石等の胴込材が投入され、その胴込材をもって支持部材の前方移動が防止され、その一方で、その胴込材の充填状態が、支持部材にアンカーを介して連結される複数の土木構築物用壁面材（壁面）により保持される。これにより、土圧や流水力に抵抗できる強固な土木構築物を構築できる。
【０００３】
ところで、土木構築物用構築材のアンカーの長さを調整したい場合がある。例えば、土木構築物用壁面材が塊状部材であり、その塊状部材の個々の大きさが異なる場合において、その塊状部材を積み上げて構築される前面を平面状にしたい場合や、土木構築物用壁面材の大きさに応じた移動抵抗に調整したい場合等がある。このような場合には、特許文献１に示すように、アンカーとして長さ調整可能なものを用いて、そのアンカーの全長を所望の長さに調整することが行われる。具体的には、このアンカーは、第１アンカーと第２アンカーとを有する二分割構造とされ、その一方のアンカーは、その一端部が土木構築物用壁面材に連結され、その一方のアンカーの他端側には複数の連結穴がその一方のアンカーの延び方向に所定間隔毎、配置されている。他方、第２アンカーは、その一端部がＬ字状に折曲され、その他端部に前記支持部材に引っ掛けるためのフック部が形成されている。そして、アンカーの全長を調整するに際しては、第２アンカーの一端部が第１アンカーにおける複数の連結穴のうちの選択した一つの連結穴に貫通され、その貫通した第１アンカー部の一端部に対してナットが螺合される。これにより、アンカーの全長を所望の長さとすることができ、塊状部材を所望の位置に配置できる。
【先行技術文献】
【特許文献】
【０００４】
【特許文献１】特開２００３−２０６５１９号公報
【発明の概要】
【発明が解決しようとする課題】
【０００５】
しかし、上記のようなアンカーの長さ調整構造においては、第１アンカーに複数の連結穴を形成しなければならない等の加工を必要とするばかりか、第１アンカーの他端部と第２アンカーの一端部との連結に際して、その第２アンカーの一端部に対するナットの螺合（回動させる等の作業）が必要となり、作業の迅速性に問題があるばかりでなく、使い勝手もよいものではない。このため、多くの土木構築物用構築材におけるアンカーの長さ調整を行わなければならない状況下において、上記のようなアンカーの長さ調整構造は好ましいものではない。
しかも、第１アンカーにおける複数の連結穴は、所定間隔毎に配置されており、アンカーの全長調整をきめ細かく行うことができない。
【０００６】
本発明は以上のような事情を勘案してなされたもので、その第１の目的は、第１アンカーと第２アンカーとがなす全長の調整を的確に行いつつ、第１アンカーと第２アンカーとを迅速且つ簡単に連結することができる土木構築物用構築材の組立部品を提供することにある。
第２の目的は、上記土木構築物用構築材の組立部品を組み立てるための土木構築物用構築材の組立方法を提供することにある。
第３の目的は、上記土木構築物用構築材の組立部品を用いて構築された土木構築物を提供することにある。
【課題を解決するための手段】
【０００７】
上記第１の目的を達成するために本発明（請求項１に係る発明）にあっては、
土木構築物を構築するための土木構築物用構築材の組立部品であって、
土木構築物用壁面材と該土木構築物用壁面材に一端部が連結される第１アンカーとを備え、該第１アンカーの一端部よりも他端側が該土木構築物用壁面材から遠のくように延びると共にその他端部に引っ掛け部が形成されている前側部品と、
一端側から他端側に向けて真っ直ぐに延び、その他端部に、法面の前面に配置される支持部材に係止するための係止部が形成され、該一端側が使用時に前記第１アンカーの引っ掛け部に折り返された状態で係止される第２アンカーと、
前記第２アンカーの外周に嵌挿されて、該第２アンカーの折り返し状態を保持するために用いられる環状部材と、
を有している構成としてある。
【０００８】
上記第２の目的を達成するために本発明（請求項２に係る発明）にあっては、
土木構築物を構築するための土木構築物用構築材の組立方法であって、
前記土木構築物用構築材の組立部品として、土木構築物用壁面材と該土木構築物用壁面材に一端部が連結される第１アンカーとを備え、該第１アンカーの一端部よりも他端側が該土木構築物用壁面材から遠のくように延びると共にその他端部に引っ掛け部が形成されている前側部品と、一端側から他端側に向けて延び、その他端部に、法面の前面に配置される支持部材に係止するための係止部が形成されている第２アンカーと、該第２アンカーの外周に嵌挿される環状部材と、を有するものを用意し、
法面前方に、前記前側部品を、前記第１アンカーが前記土木構築物用壁面材よりも該法面側に位置されるように配置し、
次に、前記第２アンカーの一端側を前記第１アンカーの引っ掛け部に挿通させると共に、該第２アンカーの係止部を、前記法面前面に配置される支持部材に対して係止し、
次に、前記第２アンカーの一端側を前記第１アンカーの引っ掛け部に引っ掛けた状態で折り返して、その折り返し部をその折り返し部以外の前記第２アンカーの部分に倒伏させ、
次に、前記折り返し部及びその折り返し部以外の前記第２アンカーの部分を前記環状部材内に挿通させた状態とし、
次に、前記折り返し部のうち、前記環状部材よりも法面側に位置する先端側部分を該環状部材側に折り返す構成としてある。
【０００９】
上記第３の目的を達成するために本発明（請求項３に係る発明）にあっては、
土木構築物用構築材を積み上げることにより構築される土木構築物であって、
前記土木構築物用構築材の組立部品として、土木構築物用壁面材と該土木構築物用壁面材に一端部が連結される第１アンカーとを備え、該第１アンカーの一端部よりも他端側が該土木構築物用壁面材から遠のくように延びると共にその他端部に引っ掛け部が形成されている前側部品と、一端側から他端側に向けて真っ直ぐに延び、その他端部に、法面の前面に配置される支持部材に係止するための係止部が形成されている第２アンカーと、該第２アンカーの外周に嵌挿される環状部材と、を有するものが用いられ、
前記前側部品が、前記法面前方において、前記第１アンカーが前記土木構築物用壁面材よりも該法面側に位置されるように配置され、
前記第２アンカーの係止部が、前記法面前面に配置される支持部材に対して係止されている一方、該第２アンカーの一端側が前記第１アンカーの引っ掛け部に引っ掛けた状態で前記法面側に折り返されて、該第２アンカーに折り返し部が形成され、
前記環状部材が、前記折り返し部と該折り返し部以外の前記第２アンカーの部分とに対して嵌挿され、
前記折り返し部のうち、前記環状部材よりも先端側部分が該環状部材側に折り返されている構成とされている。
この請求項１〜３の好ましい態様としては、請求項４の記載の通りとなる。
【発明の効果】
【００１０】
本発明（請求項１に係る発明）によれば、当該土木構築物用構築材の組立部品を用いることにより、法面前方に、前側部品を、第１アンカーが土木構築物用壁面材よりも法面側に位置されるように配置し、次に、第２アンカーの一端側を第１アンカーの引っ掛け部に挿通させると共に、第２アンカーの係止部を、法面前面に配置される支持部材に対して係止し、次に、第２アンカーの一端側を第１アンカーの引っ掛け部に引っ掛けた状態をもって折り返して、その折り返し部をその折り返し部以外の第２アンカー部分に倒伏させ、次に、折り返し部及びその折り返し部に対向する第２アンカーの部分を環状部材内に挿通させた状態とし、次に、折り返し部のうち、環状部材よりも法面側に位置する先端側部分を環状部材側に折り返すことができることになる。このため、第１アンカーの他端部に引っ掛け部を形成すると共に環状部材を用意するだけの簡単な構成の下で、第２アンカーの一端部の折り曲げ作業により、第１アンカーと第２アンカーとがなす全長の調整を的確に行いつつ、第１アンカーと第２アンカーとを迅速且つ簡単に連結することができる。
【００１１】
本発明（請求項２に係る発明）によれば、法面前方に、前側部品を、第１アンカーが土木構築物用壁面材よりも該法面側に位置されるように配置し、次に、第２アンカーの一端側を第１アンカーの引っ掛け部に挿通させると共に、第２アンカーの係止部を、法面前面に配置される支持部材に対して係止し、次に、第２アンカーの一端側を第１アンカーの引っ掛け部に引っ掛けた状態をもって折り返して、その折り返し部をその折り返し部以外の前記第２アンカーの部分に倒伏させ、次に、折り返し部及びその折り返し部以外の第２アンカーの部分を環状部材内に挿通させた状態とし、次に、折り返し部のうち、環状部材よりも法面側に位置する先端側部分を該環状部材側に折り返すことから、土木構築物用構築材の組立部品を用いて、それらを組み付けることにより当該土木構築物用構築材を組立てることができる。
【００１２】
本発明（請求項３に係る発明）によれば、前側部品が、法面前方において、第１アンカーが土木構築物用壁面材よりも該法面側に位置されるように配置され、第２アンカーの係止部が、法面前面に配置される支持部材に対して係止されている一方、第２アンカーの一端部が第２アンカーの引っ掛け部に引っ掛けた状態で法面側に折り返され、環状部材が、折り返し部と該折り返し部以外の前記第２アンカーの部分とに対して嵌挿され、折り返し部のうち、環状部材よりも先端側部分が該環状部材側に折り返されていることから、請求項１に係る組立部品を用いて構築された土木構築物を提供できる。
【００１３】
請求項４に係る発明によれば、環状部材がコイルであることから、環状部材として既存一般の部品を有効利用することができる。
【図面の簡単な説明】
【００１４】
【図１】実施形態に係る土木構築物に用いられる土木構築物用構築材を示す説明図。
【図２】実施形態に係る土木構築物用構築材の組立部品を説明する説明図。
【図３】実施形態に係る土木構築物用構築材の組立部品の一つであるコイル（環状部材）を示す正面図。
【図４】図３の左側面図。
【図５】実施形態に係る土木構築物用構築材の組立方法を説明する説明図。
【図６】図５に続く工程を説明する説明図。
【図７】図６に続く工程を説明する説明図。
【図８】図７に続く工程を説明する説明図。
【発明を実施するための形態】
【００１５】
以下、本発明の実施形態について図面に基づいて説明する。
図１において、符号１は、土木構築物としての護岸である。この護岸１は、土木構築物用構築材２を積み上げる等することにより構築されており、そこで用いられる土木構築物用構築材２は、護岸１の構築に伴い、組立部品（全品）２Ａを用いることにより組み立てられる。
【００１６】
先ず、土木構築物用構築材２の組立部品（全品）２Ａについて、図２に基づいて説明する。
土木構築物用構築材１の組立部品（全品）１Ａは、前側部品３と、第２アンカー４
と、環状部材としてのコイル５と、を備えている。
【００１７】
前記前側部品３は、土木構築物用壁面材としての自然石６と第１アンカー７とを備えており、その自然石６に第１アンカー７の一端部が連結されている。
自然石６としては、玉石、割石、角とり石等が用いられており、その径としては、本実施形態においては、２００〜４００ｍｍのものが用いられている。この自然石６には、第１アンカー７を取付けるための取付け穴８が形成されている。
第１アンカー７は、真っ直ぐに延びる線材からなる。具体的には、径が６ｍｍ前後のものが用いられ、その表面には、亜鉛アルミ合金メッキが施されている。この第１アンカー７の一端部は、自然石６に対する取付け端部として、自然石６の取付け穴８内に接着剤と共に挿入されており、これにより、自然石６と第１アンカー７の一端部とは一体的に連結
されている。この第１アンカー７は、その一端部よりも他端側が自然石６から遠のくように延びており、その他端部には、環状の引っ掛け部９が形成されている。この環状の引っ掛け部９は、第１アンカー７部の他端部を用いて環状空間を形成した上でその第１アンカー７部の他端部をその他端部よりも軸線方向内方側部分に巻回することにより形成されている。このような第１アンカー７の自然石６から遠のくように延びる長さは、本実施形態においては、３００ｍｍ前後に設定されている。
【００１８】
前記第２アンカー４は、使用開始前（組立前）においては、前述の第１アンカー７同様、６ｍｍ前後の径を有する線材をもって、一端側から他端側に向けて真っ直ぐに延びている。その第２アンカー４の他端部には、係止部としてフック部１０が形成されており、そのフック部１０は、第２アンカー４の他端部をフック状に折り曲げ加工することにより形成されている。この第２アンカー４は、全長が７５０ｍｍ前後とされ、その表面全体には、亜鉛アルミ合金メッキが施されている。
【００１９】
前記コイル５としては、本実施形態においては、図２に示すように、２つのコイル５Ａ，５Ｂが用いられ、その２つのコイル５Ａ，５Ｂは第２アンカー４の外周に移動可能に保持（嵌挿）されている。この両コイル５Ａ，５Ｂは同じ構成とされており、その構成は、第２アンカー４が十分に余裕をもった状態で嵌挿できるようにすべく、本実施形態においては、図３，図４に示すように、全長Ｌ１が３０ｍｍ前後、内径Ｄ１が２０ｍｍ前後、外径Ｄ２が２８ｍｍ前後とされている。
【００２０】
次に、上記土木構築物用構築材２の組立部品２Ａの組立（使用方法）について、土木構築物としての護岸１の構築と共に説明する。
先ず、図５に示すように、法面１１前方に前側部品３を、第１アンカー７が自然石６よりも法面１１側に位置されるように配置する。法面１１の前方に自然石６の積み上げにより壁面（自然石６）を形成すると共に、その壁面と法面１１との間に胴込材１２（図１参照）を充填するための充填空間１３を形成するためである。
この場合、自然石６は、その大きさ等により、法面１１から前方に所定距離、離間した位置に配置される。またこのとき、法面１１の前面には金網（本実施形態においては、溶接金網）１４が予め敷設されており、その金網１４は法面１１に図示を略す固定具を用いて固定されている。
【００２１】
次に、図５に示すように、第２アンカー４の一端部を第１アンカー７の引っ掛け部９に挿通させると共に、第２アンカー４のフック部１０を、法面１１前面に配置される金網１４に対して係止させる（引っ掛ける）。第２アンカー４を介して第１アンカー７を金網１４に連結するためである。
この場合、金網１４に第２アンカー４のフック部１０が引っ掛けられた後、コイル５Ｂがスライドされて、コイル５Ｂ内に、フック部１０の折り返し部分と、その折り返し部分に対向する第２アンカー４の部分とが入り込んだ状態とされる。これにより、フック部１０はコイル５Ｂにより閉じられた状態となり、フック部１０とコイル５Ｂとにより第２アンカー４は金網４にしっかりと連結される。このとき、コイル５Ｂのフック部１０からの抜け止めを行うべく、フック部１０の先端部が第２アンカー４から遠のく方向に折曲されている。
【００２２】
次に、第２アンカー４の一端側を第１アンカー７の引っ掛け部９に引っ掛けた状態で折り返して、その折り返し部１５をその折り返し部１５以外の前記第２アンカー４の部分に倒伏させる。第１アンカー７と第２アンカー４との係止関係を確保すると共に、コイル５Ａをスライドさせて、折り返し部１５及びその折り返し部１５以外の第２アンカー４の部分がコイル５Ａ内に入り込むようにするためである。
この場合、第２アンカー４の一端側を第１アンカー７の引っ掛け部９に引っ掛けた状態で折り返すに際しては、第１アンカー７と第２アンカー４とが、自然石４と法面１１（金網１４）との間で直線状に連なるように折り返される（長さ調整）。
【００２３】
次に、図６，図７に示すように、コイル５Ａを第１アンカー７の引っ掛け部９に向けてスライドさせて、コイル５Ａを、折り返し部１５及びその折り返し部１５以外の（に対向する）第２アンカー４の部分をコイル５Ａ内に挿通させた状態とする。コイル５Ａにより、折り返し部１５が、その折り返し部１５に対向する第２アンカー４の部分から起立することを規制するためである。
このとき、コイル５Ａは第１アンカー７の引っ掛け部９にできるだけ近づけられる。
【００２４】
次に、図８に示すように、折り返し部１５のうち、コイル５Ａよりも法面１１側に位置する先端側部分１６をコイル５Ａ側に折り返す。コイル５Ａが法面１１側に移動することを規制するためである。このとき、第１アンカー７側へのコイル５Ａの移動は、引っ掛け部９により規制されることになり、コイル５Ａは、移動不能となる。
これにより、図１に示すような土木構築物用構築材１が組み立てられることになり、その土木構築物用構築材１において、コイル５Ａが、前後に移動不能とされた状態で折り返し部１５の起立を規制することから、自然石６と金網１４との間において、第１アンカー７と第２アンカー４とは、略水平状態を維持しつつ前後方向に真っ直ぐに延び、その第１アンカー７と第２アンカー４とにより自然石６は金網１４に連結される。
【００２５】
この後、或いは、上記のように土木構築物用構築材２をいくつか組立てて土木構築物用構築材２を積み上げた後、自然石６（積み上げた自然石６（壁面））と法面１１（金網１４）とがその両者６，１１間に形成する充填空間１３に胴込材１２を充填する。このような各工程を繰り返すことにより、護岸１が構築されることになる。
すなわち、護岸１は、土木構築物用構築材２が積み上げられ、その各土木構築物用構築材２において、前側部品３が、法面１１前方において、第１アンカー７が自然石６よりも法面１１側に位置されるように配置され、第２アンカー４のフック部１０が、法面１１前面に配置される金網１４に対して係止されている一方、第２アンカー４の一端側が第１アンカーの引っ掛け部に引っ掛けた状態で法面１１側に折り返されて、第２アンカー４に折り返し部１５が形成され、コイル５Ａが、折り返し部１５と該折り返し部１５に対向する第２アンカーの部分に対して嵌挿され、折り返し部１５のうち、コイル５Ａよりも先端側部分１６がコイル５Ａ側に折り返されているものとなる。
【００２６】
したがって、各土木構築物用構築材２の組立に際しては、組立部品２Ａを用いることにより、第１アンカー７の他端部に引っ掛け部９を形成すると共にコイル５Ａを用意するだけの簡単な構成の下で、第２アンカー４の一端側の折り曲げ作業により、第１アンカー７と第２アンカー４とがなす全長の調整を的確に行いつつ、第１アンカー７と第２アンカー４とを迅速且つ簡単に連結することができることになる。
【００２７】
以上実施形態について説明したが、本発明にあっては次の態様を包含する。
（１）土木構築物用壁面材として、自然石６にかげらず、コンクリートブロック、擬石等を用いてもよいこと。
（２）土木構築物として、護岸１に限らず擁壁等にも適用があること。
（３）第１アンカー７の他端部における引っ掛け部９は、環状のものに限らず、フック状のもの等を含むこと。
（４）金網１４と第２アンカー４との連結に際して、フック部１０のみを用い、コイル５Ｂを用いないこと。
【００２８】
尚、本発明の目的は、明記されたものに限らず、実質的に好ましい或は利点として記載されたものに対応したものを提供することをも暗黙的に含むものである。
【符号の説明】
【００２９】
１  護岸（土木構築物）
２  土木構築物用構築材
２Ａ  土木構築物用構築材の組立部品
３  前側部品
４  第２アンカー
５Ａ  コイル（環状部材）
６  自然石（土木構築物用壁面材）
７  第１アンカー
９  引っ掛け部
１０  フック部（係止部）
１４  金網（支持部材）
１５  折り返し部
１６  先端側部分
【図１】
2013181273.tif 000003
【図２】
2013181273.tif 000004
【図３】
2013181273.tif 000005
【図４】
2013181273.tif 000006
【図５】
2013181273.tif 000007
【図６】
2013181273.tif 000008
【図７】
2013181273.tif 000009
【図８】
2013181273.tif 000010